(57)【要約】【課題】あるオブジェクトを介して表示される情報を他のオブジェクトとの関係に基づいて制御する。【解決手段】情報処理装置１１０は、画面に表示され、それぞれ属性を有する複数のオブジェクトの関連付けを特定する特定部１１１と、特定部１１１により関連付けが特定されたオブジェクトについて、属性に関する重み付けを決定する決定部１１２と、決定部１１２により決定された重み付けに応じて情報の出力を制御する出力制御部１１３とを備える。【選択図】図５
2015210587.tif 000002
【特許請求の範囲】
【請求項１】
画面に表示され、それぞれ属性を有する複数のオブジェクトの関連付けを特定する特定部と、
前記特定部により関連付けが特定されたオブジェクトについて、前記属性に関する重み付けを決定する決定部と、
前記決定部により決定された重み付けに応じて情報の出力を制御する出力制御部と
を備える情報処理装置。
【請求項２】
前記特定部は、前記関連付けをユーザの操作に基づいて特定する
請求項１に記載の情報処理装置。
【請求項３】
前記特定部は、前記複数のオブジェクトの相対的な位置関係を変化させる操作により前記関連付けを特定し、
前記決定部は、当該操作による前記複数のオブジェクトの変位に基づいて前記重み付けを決定する
請求項２に記載の情報処理装置。
【請求項４】
前記複数のオブジェクトは、第１のオブジェクトと第２のオブジェクトとを含み、
前記位置関係を変化させる操作は、前記第１のオブジェクト及び前記第２のオブジェクトの一方を他方に近付け、又は当該一方を当該他方から遠ざける操作であり、
前記決定部は、前記第１のオブジェクト及び前記第２のオブジェクトの距離に応じて前記重み付けを決定する
請求項３に記載の情報処理装置。
【請求項５】
前記ユーザの操作は、前記複数のオブジェクトのいずれかのサイズを変化させる操作であり、
前記決定部は、前記サイズの変化に応じて前記重み付けを決定する
請求項２に記載の情報処理装置。
【請求項６】
前記複数のオブジェクトは、前記情報を表示するオブジェクトであり、
前記決定部は、前記複数のオブジェクトによる前記情報の表示態様に基づいて前記重み付けを決定する
請求項１又は２に記載の情報処理装置。
【請求項７】
前記決定部は、前記情報の表示時間の長さ、更新日時及び更新頻度の少なくともいずれかに基づいて前記重み付けを決定する
請求項６に記載の情報処理装置。
【請求項８】
コンピュータに、
画面に表示され、それぞれ属性を有する複数のオブジェクトの関連付けを特定するステップと、
前記関連付けが特定された前記複数のオブジェクトについて、前記属性に関する重み付けを決定するステップと、
前記決定された重み付けに応じて情報の出力を制御するステップと
を実行させるためのプログラム。
【請求項９】
画面に表示され、それぞれ属性を有する複数のオブジェクトの関連付けを特定し、
前記関連付けが特定された前記複数のオブジェクトについて、前記属性に関する重み付けを決定し、
前記決定された重み付けに応じた情報を出力する
情報出力方法。
【発明の詳細な説明】
【技術分野】
【０００１】
本発明は、情報の出力制御に関する。
【背景技術】
【０００２】
情報を取得するときには、情報を取得するための条件（検索条件など）を入力することがある。このような入力は、キーボードなどによるテキスト入力が一般的である。しかし、テキスト入力は、比較的煩雑な操作であり、人によっては不得手であったりもする。
【０００３】
そのため、テキスト入力によらない他の入力方法も存在する。例えば、特許文献１には、キーワード入力に代えて、表示領域の一部の領域を指定する操作によってオブジェクトを検索する技術が記載されている。
【先行技術文献】
【特許文献】
【０００４】
【特許文献１】特開２０１２−００８９１７号公報
【発明の概要】
【発明が解決しようとする課題】
【０００５】
特許文献１に記載の技術によれば、表示領域の一部を指定することによって複数のオブジェクトを検索することが可能であるといえる。しかし、この技術は、複数のオブジェクトを介して表示される情報を制御したりするものではない。
一方、本発明は、あるオブジェクトを介して表示される情報を他のオブジェクトとの関係に基づいて制御することを目的とするものである。
【課題を解決するための手段】
【０００６】
本発明は、画面に表示され、それぞれ属性を有する複数のオブジェクトの関連付けを特定する特定部と、前記特定部により関連付けが特定されたオブジェクトについて、前記属性に関する重み付けを決定する決定部と、前記決定部により決定された重み付けに応じて情報の出力を制御する出力制御部とを備える情報処理装置を提供する。
【０００７】
また、前記特定部は、前記関連付けをユーザの操作に基づいて特定する構成であってもよい。
また、前記特定部は、前記複数のオブジェクトの相対的な位置関係を変化させる操作により前記関連付けを特定し、前記決定部は、当該操作による前記複数のオブジェクトの変位に基づいて前記重み付けを決定する構成であってもよい。
また、前記複数のオブジェクトは、第１のオブジェクトと第２のオブジェクトとを含み、前記位置関係を変化させる操作は、前記第１のオブジェクト及び前記第２のオブジェクトの一方を他方に近付け、又は当該一方を当該他方から遠ざける操作であり、前記決定部は、前記第１のオブジェクト及び前記第２のオブジェクトの距離に応じて前記重み付けを決定する構成であってもよい。
また、前記ユーザの操作は、前記複数のオブジェクトのいずれかのサイズを変化させる操作であり、前記決定部は、前記サイズの変化に応じて前記重み付けを決定する構成であってもよい。
また、前記複数のオブジェクトは、前記情報を表示するオブジェクトであり、前記決定部は、前記複数のオブジェクトによる前記情報の表示態様に基づいて前記重み付けを決定する構成であってもよい。
また、前記決定部は、前記情報の表示時間の長さ、更新日時及び更新頻度の少なくともいずれかに基づいて前記重み付けを決定する構成であってもよい。
【０００８】
また、本発明は、コンピュータに、画面に表示され、それぞれ属性を有する複数のオブジェクトの関連付けを特定するステップと、前記関連付けが特定された前記複数のオブジェクトについて、前記属性に関する重み付けを決定するステップと、前記決定された重み付けに応じて情報の出力を制御するステップとを実行させるためのプログラムを提供する。
【０００９】
また、本発明は、画面に表示され、それぞれ属性を有する複数のオブジェクトの関連付けを特定し、前記関連付けが特定された前記複数のオブジェクトについて、前記属性に関する重み付けを決定し、前記決定された重み付けに応じた情報を出力する情報出力方法を提供する。
【発明の効果】
【００１０】
本発明によれば、あるオブジェクトを介して表示される情報を他のオブジェクトとの関係に基づいて制御することが可能である。
【図面の簡単な説明】
【００１１】
【図１】通信システムの全体構成を示すブロック図
【図２】通信端末のハードウェア構成を示すブロック図
【図３】コンテンツを表示する画面を例示する図
【図４】サブ領域の表示例を示す図
【図５】通信端末が実行する表示制御に関する機能的構成を示すブロック図
【図６】通信端末による表示制御を示すフローチャート
【図７】表示制御の実行結果を例示する図
【図８】表示制御の実行結果を例示する図
【発明を実施するための形態】
【００１２】
［実施例］
図１は、本発明の一実施例である通信システム１０の全体構成を示すブロック図である。通信システム１０は、通信端末１００と、複数のコンテンツサーバ２００とを備え、これらをネットワーク３００によって接続した構成を有する。なお、通信端末１００は、ここでは説明の便宜上１台のみ図示されているが、実際には複数あってもよい。
【００１３】
通信システム１０は、コンテンツの配信及び閲覧を行うためのシステムである。ここでいうコンテンツ（デジタルコンテンツ）は、電子的にやり取りされる情報全般を指し、ニュースやブログの記事、地域単位の天気予報、企業の株価に関する情報（始値、終値、チャートなど）、ＳＮＳ（Social Networking Service）に対する各ユーザの投稿などが含まれる。このコンテンツは、典型的には、ユーザに閲覧される情報（文字又は画像）を含むが、音声情報を含んでもよい。例えば、コンテンツは、音楽データや動画データであってもよい。また、コンテンツは、３次元物体の移動や運動を表す情報であってもよい。
【００１４】
通信端末１００は、コンテンツを閲覧するためのコンピュータ装置である。通信端末１００は、無線通信端末であってもよいが、ネットワーク３００に対して有線接続されるものであってもよい。以下において、通信端末１００は、スマートフォン又はタブレット端末のような携帯型の無線通信端末であり、タッチスクリーンディスプレイを有するものであるとする。なお、通信端末１００は、コンテンツサーバ２００に対するクライアント装置に相当する。
【００１５】
コンテンツサーバ２００は、コンテンツを配信するためのサーバ装置である。コンテンツサーバ２００は、例えば、あるコンテンツサーバ２００はニュースを配信し、別のコンテンツサーバ２００はＳＮＳにおける投稿を配信する、といったように、決められたジャンルのコンテンツをそれぞれ配信する。以下においては、コンテンツを配信する事業者のことを「コンテンツプロバイダ」という。通信端末１００のユーザは、複数のコンテンツプロバイダの中から、自らの通信端末１００へのコンテンツの配信を希望するコンテンツプロバイダを選択し、選択したコンテンツプロバイダからコンテンツの配信を受けることができる。
【００１６】
ネットワーク３００は、通信端末１００とコンテンツサーバ２００とを相互に接続するネットワークである。ネットワーク３００は、例えば、インターネットを含む。また、ネットワーク３００は、通信端末１００の通信方式に応じて、移動体通信網や無線ＬＡＮ（Local Area Network）を含んでもよい。
【００１７】
図２は、通信端末１００のハードウェア構成を示すブロック図である。通信端末１００は、制御部１１０と、記憶部１２０と、通信部１３０と、タッチスクリーン部１４０と、入力部１５０とを備える。なお、通信端末１００は、スピーカ、マイクロホン、バイブレータなど、図示されない他の構成要素を含んで構成されてもよい。また、通信端末１００は、ＧＰＳ（Global Positioning System）などによる測位機能を有し、現在地を識別できるように構成されてもよい。
【００１８】
制御部１１０は、通信端末１００の各部の動作を制御する手段である。制御部１１０は、ＣＰＵ（Central Processing Unit）、アプリケーションプロセッサなどの演算処理装置とメモリ（主記憶装置）とを備え、プログラムを実行することにより通信端末１００の各部の動作を制御する。また、制御部１１０は、コンテンツの受信及び表示を制御する機能を有する。この機能は、ＯＳ（Operating System）レベルで実装されてもよいし、所定のアプリケーションプログラムによって実現されてもよい。
【００１９】
記憶部１２０は、通信端末１００で使用されるデータを記憶する手段である。記憶部１２０は、例えば、フラッシュメモリやハードディスクによって構成される。また、記憶部１２０は、メモリカードなどの着脱可能な記憶媒体（リムーバブルメディア）のリーダ／ライタを含み、当該記憶媒体との間でデータをやり取りできる構成であってもよい。記憶部１２０は、制御部１１０が実行するプログラムや、当該プログラムの実行に伴って用いられるデータ（画像データなど）を記憶することができる。
【００２０】
通信部１３０は、データを送受信する手段である。通信部１３０は、ネットワーク３００を介して通信を行い、コンテンツサーバ２００からコンテンツを受信する。通信部１３０は、ベースバンドプロセッサやアンテナを備え、ネットワーク３００に応じた変調及び復調を行ってデータを送受信する。また、通信部１３０は、ＮＦＣ（Near Field Communication）などによって他の通信端末と直接（すなわちネットワーク３００を介さずに）接続する構成を含み得る。
【００２１】
タッチスクリーン部１４０は、情報を表示するとともにユーザの入力操作を受け付ける手段である。タッチスクリーン部１４０は、より詳細には、表示部１４１とセンサ部１４２とを含んで構成されている。表示部１４１は、液晶素子、有機ＥＬ（electroluminescence）素子などにより構成される表示パネルとその駆動回路とを備え、制御部１１０から供給された画像データに応じた画像を表示する。センサ部１４２は、ユーザによる表示部１４１の表示領域に対する入力操作を所定の方式（抵抗膜方式、静電容量方式など）で検知するセンサを備え、ユーザの入力操作を示す入力データを制御部１１０に供給する。ここでの入力データは、例えば、表示領域上の位置（座標）を示すデータである。なお、ここでいう入力操作は、典型的には指先で行われるが、スタイラスペンなどの器具によって行われてもよい。
【００２２】
なお、タッチスクリーン部１４０は、マルチタッチに対応するものであると望ましい。すなわち、タッチスクリーン部１４０は、２本の指を近付ける「ピンチイン」や、２本の指を遠ざける「ピンチアウト」といった操作を受け付けることができるように構成されていると望ましい。
【００２３】
入力部１５０は、ユーザの入力操作を受け付ける別の手段である。入力部１５０は、タッチスクリーン部１４０と異なり、物理的なキーを含んで構成されている。入力部１５０は、ユーザの入力操作を示す入力データを制御部１１０に供給する。入力部１５０に対する入力操作は、キーを押下する操作である。したがって、ここでの入力データは、押下されたキーを示すデータである。
【００２４】
通信端末１００は、この構成のもと、コンテンツを画面に表示する。コンテンツを表示する画面は、いわゆる待ち受け画面であってもよいし、所定のアプリケーションプログラムを実行することによって表示される専用の画面であってもよい。通信端末１００は、複数のコンテンツプロバイダのそれぞれに割り当てられた表示領域に対して、当該コンテンツプロバイダによって配信されるコンテンツを表示する。
【００２５】
図３は、コンテンツを表示する画面を例示する図である。図３に示す画面には、天気予報などの気象情報を表示するオブジェクトＡ１と、所定の場所や施設に関する情報（例えば、観光、飲食、娯楽などに関する情報）を表示するオブジェクトＢ１とが表示されている。なお、ここでは図示を省略するが、画面に表示されるオブジェクトの数は、これより多くても（すなわち３個以上であっても）よい。
【００２６】
オブジェクトＡ１は、所定の地域の気象情報を表示する。ここでいう所定の地域は、例えば、ユーザによってあらかじめ設定された地域（ユーザの住んでいる地域、勤務地、よく訪れる場所など）であるが、ユーザの現在地の気象情報を表示するよう構成されてもよい。この場合、ある地域から別の地域にユーザが移動すれば、オブジェクトＡ１が表示する気象情報も別の地域のものになる。ここでは、オブジェクトＡ１は、Ｘ地方の気象情報を表示するよう設定されているものとする。
【００２７】
また、気象情報には、いわゆる天気（晴れ、曇、雨など）のほか、降水確率、気温、湿度、雨量、風向などが含まれる。気象情報には、紫外線量や花粉の飛散量など、特定の時期にのみ提供される情報が含まれてもよい。
【００２８】
一方、オブジェクトＢ１は、所定の地域に関する地域情報を表示する。ここにおいて、地域情報とは、ある地域に関する情報全般をいう。例えば、地域情報には、各種イベントの開催に関する情報や、人気の商業施設や娯楽施設に関する情報が含まれる。また、地域情報には、当該地域の気象情報が含まれてもよい。ここでは、オブジェクトＢ１は、Ｙ地方の地域情報を表示するよう設定されているものとする。
【００２９】
オブジェクトＡ１、Ｂ１に表示される情報は、適宜更新される。例えば、コンテンツサーバ２００は、適当なタイミングで新たな情報を配信し、対応するオブジェクトに新しい情報を表示させるようにしてもよい。あるいは、通信端末１００は、表示する情報の更新を要求する操作をユーザから受け付け、この操作に応じて新たな情報をコンテンツサーバ２００から受信してもよい。
【００３０】
また、オブジェクトＡ１、Ｂ１は、それぞれ所定の属性を有する。ここでいう属性は、それぞれのオブジェクトを介して表示される情報に応じて定まるものである。ここでは、オブジェクトＡ１の属性は、当該オブジェクトを介して表示される情報のジャンル、すなわち「気象」であるとする。一方、オブジェクトＢ１の属性は、当該オブジェクトを介して地域情報が表示される対象地域、すなわち「Ｙ地方」であるとする。
【００３１】
オブジェクトＡ１、Ｂ１は、ここでは、いずれもコンテンツの表示領域（第１の表示領域）としても機能している。この領域のことを、以下においては「メイン領域」という。また、オブジェクトＡ１、Ｂ１は、メイン領域のサイズについて初期値が設定されているものの、サイズが可変である。メイン領域は、例えば、ユーザがピンチインすることによって縮小し、ピンチアウトすることによって拡大するが、他の方法によってサイズが変更されてもよい。ユーザは、例えば、メイン領域に表示される情報量を多くしたり、あるいはメイン領域に表示される情報そのものを大きく（見やすく）したりする場合に、これを拡大すればよい。
【００３２】
また、オブジェクトＡ１、Ｂ１は、コンテンツを表示するための別の表示領域（第２の表示領域）をそれぞれ有する。この領域のことを、以下においては「サブ領域」という。サブ領域の情報は、常時表示されているのではなく、ユーザがオブジェクトＡ１、Ｂ１に対して所定の操作（タップ、フリックなど）を行うことで表示される。
【００３３】
図４は、サブ領域の表示例を示す図である。ここでは、メイン領域に気象情報を表示するオブジェクトＡ１とともにサブ領域Ａ２が表示される場合が例示されている。この場合、オブジェクトＡ１には、Ｘ地方の直近（当日又は翌日）の気象情報が表示される一方で、サブ領域Ａ２にはそれ以降の気象情報が表示される。あるいは、オブジェクトＡ１は、メイン領域に天気や気温などの代表的な項目のみを表示する一方、サブ領域Ａ２に雨量や風向のような残りの項目を表示するよう構成されてもよい。
【００３４】
このように、サブ領域は、本実施例においては、メイン領域に対して補完的な役割を果たす。サブ領域は、例えば、常時表示されている必要性が少ない情報や、メイン領域に表示しきれない情報量の情報を表示するのに有効である。なお、サブ領域は、図４に例示した位置、すなわちメイン領域の下部に限らず、さまざまな位置に表示可能である。また、サブ領域のサイズや形状も、特に限定されず、表示する情報に応じて可変であってもよいし、ユーザの操作に応じて所望のサイズ又は形状に変更可能に構成されてもよい。
【００３５】
本実施例において、通信端末１００は、あるオブジェクトに表示する情報を他のオブジェクトとの関係に基づいて変化させることを特徴の一つとする。具体的には、通信端末１００は、あるオブジェクトが他のオブジェクトとの関連付けを有する場合に、当該あるオブジェクトが表示する情報についての属性に関する重み付けを決定し、決定された重み付けに応じた情報を表示する。なお、オブジェクト同士の関連付けは、あらかじめ設定されている場合もあるが、ユーザの操作に基づいて特定されてもよい。
【００３６】
図５は、通信端末１００が実行する表示制御に関する機能的構成を示すブロック図である。通信端末１００の制御部１１０は、所定のプログラムを実行することによって、特定部１１１、決定部１１２及び出力制御部１１３を実現する。これらの各ブロックの機能は、ＯＳ（Operating System）に実装されてもよいし、所定のアプリケーションプログラムによって実現されてもよい。
【００３７】
特定部１１１は、オブジェクトの関連付けを特定する手段である。例えば、特定部１１１は、後述するように、ユーザがオブジェクトに対して行っている操作に基づいて関連付けの有無を特定することができる。また、特定部１１１は、オブジェクトを関連付ける設定をユーザが事前に行った場合には、これを設定情報として記録し、この設定情報を読み出すことによってオブジェクトの関連付けを特定することも可能である。なお、オブジェクトの関連付けは、（ユーザの意志によらずに）あらかじめ決められていてもよい。例えば、同一のコンテンツプロバイダが情報を提供する複数のオブジェクトがある場合には、これらのオブジェクトが事前に関連付けられていてもよい。
【００３８】
決定部１１２は、他のオブジェクトとの関連付けを有するオブジェクトについて、属性に関する重み付けを決定する手段である。決定部１１２は、ユーザがこれらのオブジェクトに対して操作を行っている場合、当該操作に基づいて重み付けを決定することができる。例えば、決定部１１２は、２つのオブジェクトの位置関係の変化（近付いたり遠ざかったりすること）に基づいて重み付けを決定することができる。決定部１１２は、特定部１１１による特定結果を用いて重み付けを決定する。
【００３９】
なお、決定部１１２は、２つのオブジェクトによる情報の表示態様の相違に基づいて重み付けを決定することも可能である。ここにおいて、表示態様の相違とは、例えば、オブジェクトのサイズの相違や、情報の表示時間又は更新頻度の相違のことである。
【００４０】
出力制御部１１３は、オブジェクトを介した情報の出力を制御する手段である。ここでいう出力は、典型的には表示することであるが、他の態様（音声など）での出力を含み得る。出力制御部１１３は、決定部１１２により決定された重み付けに応じて情報の出力を制御する。
【００４１】
図６は、通信端末１００による表示制御を示すフローチャートである。以下の説明は、ユーザがタッチスクリーン上で２つのオブジェクトにタッチすることによってこれらのオブジェクトを関連付け、さらにピンチインすることによってこれらのオブジェクトの相対的な位置関係を変化させることによって重み付けを変更する場合を例示したものである。すなわち、ユーザは、２つのオブジェクトにタッチし、これを近付けることによってオブジェクトに表示される情報を異ならせることが可能である。
【００４２】
この例において、通信端末１００の制御部１１０は、まず、タッチスクリーン部１４０からの入力データに基づいて、２つのオブジェクトにタッチした状態でピンチインする操作を認識する（ステップＳ１）。制御部１１０は、このときタッチされた２つのオブジェクトについて関連付けを特定する（ステップＳ２）。
【００４３】
次に、制御部１１０は、ピンチインによる２つのオブジェクトの相対的な位置関係の変化に基づいて属性に関する重み付けを決定する（ステップＳ３）。具体的には、制御部１１０は、２つのオブジェクトの変位、より詳細には一方が他方に対してどの程度近付いたかによって重み付けを決定する。ここでは、制御部１１０は、一方のオブジェクトに対して他方のオブジェクトを近付けるほど（すなわち、距離が短くなるほど）、他方のオブジェクトが有する属性の重み付けを大きくする。
【００４４】
その後、制御部１１０は、ステップＳ３において決定した重み付けに応じて表示対象の情報を決定し、このように決定した情報をタッチスクリーン部１４０の表示部１４１に表示させる（ステップＳ４）。このとき、制御部１１０は、表示対象の情報が既に受信されていれば受信済みの情報を表示させる一方、表示対象の情報が未受信であれば当該情報をコンテンツサーバ２００に要求する。なお、ステップＳ４において、制御部１１０は、情報をメイン領域とサブ領域のいずれに表示させてもよい。また、制御部１１０は、ステップＳ４の処理をピンチインする操作の後に即座に実行するのではなく、当該操作後に所定時間が経過してから実行してもよい。
【００４５】
なお、制御部１１０は、ピンチインされたオブジェクトについては、この操作に従った位置に移動して表示させてもよいし、当該操作後には元の位置に戻るように表示させてもよい。すなわち、この例においてピンチインの操作は、関連付けの特定と重み付けの決定のために必要な操作であって、必ずしもオブジェクトを移動させるための操作ではない。
【００４６】
図７、８は、このような表示制御の実行結果を例示する図である。図７は、図３に示した表示例において、オブジェクトＡ１にオブジェクトＢ１を近付ける操作をした場合を例示したものである。一方、図８は、図３に示した表示例において、オブジェクトＢ１にオブジェクトＡ１を近付ける操作をした場合を例示したものである。
【００４７】
図７の例において、通信端末１００は、オブジェクトＡ１にオブジェクトＢ１を近付ける操作が行われると、オブジェクトＡ１について、オブジェクトＢ１の属性である「Ｙ地方」の重み付けを増加させる。この結果、通信端末１００は、オブジェクトＡ１のメイン領域にＸ地方の気象情報を表示させるとともに、サブ領域にＹ地方の気象情報も表示させるようになる。
【００４８】
この場合において、通信端末１００は、オブジェクトＡ１とオブジェクトＢ１の距離が小さくなるほど重み付けを大きくする。例えば、通信端末１００は、オブジェクトＢ１の属性である「Ｙ地方」の重み付けが大きくなるにつれて、オブジェクトＡ１に表示するＹ地方の気象情報の項目数を増加させる。あるいは、通信端末１００は、数値化されたＹ地方の重み付けが所定の閾値を超えたら、メイン領域の表示とサブ領域の表示を入れ替え、メイン領域にＹ地方の気象情報を表示し、サブ領域にＸ地方の気象情報を表示してもよい。
【００４９】
なお、通信端末１００は、サブ領域を用いることなく情報を表示してもよい。例えば、通信端末１００は、メイン領域にＸ地方の気象情報を表示した後、所定時間経過後にＹ地方の気象情報を表示し、さらに所定時間経過後に再びＸ地方の気象情報を表示する、といったように、表示する情報を交互に切り替えてもよい。この場合において、通信端末１００は、それぞれの気象情報の表示時間の長さを重み付けに基づいて決定することができる。すなわち、通信端末１００は、オブジェクトＢ１の属性である「Ｙ地方」の重み付けが大きくなるほど、Ｙ地方の気象情報の表示時間を相対的に長くする。
【００５０】
一方、通信端末１００は、オブジェクトＢ１にオブジェクトＡ１を近付ける操作が行われると、オブジェクトＢ１について、オブジェクトＡ１の属性である「天気」の重み付けを増加させる。この結果、通信端末１００は、図８に示すように、オブジェクトＢ１のメイン領域又はサブ領域にＹ地方の気象情報を地域情報の一つとして表示する。通信端末１００は、図７を例に説明した場合と同様に、オブジェクトＡ１の属性の重み付けが増加するにつれて気象情報の表示項目数を増加させたり、あるいは表示時間を長くさせたりする。
【００５１】
以上のとおり、本実施例によれば、ある属性を有して情報を表示するオブジェクトに対して別の属性を作用させることが可能であり、また、この作用に対して重み付けを付与することが可能である。これにより、ユーザは、所望のオブジェクトに対して、当該オブジェクトに元々付与されている属性とは別の属性を付加した上で情報の閲覧に利用することができるようになる。また、ユーザは、２つのオブジェクトの距離によって重み付けを変えることができるため、所望する属性の情報の情報量を容易に調整することも可能である。
【００５２】
［変形例］
本発明は、上述した実施例の態様に限らず、他の態様でも実施することができる。以下に示すのは、本発明の他の実施形態の一例である。なお、これらの変形例は、必要に応じて、各々を適宜組み合わせることも可能である。
【００５３】
（１）通信端末１００は、あるオブジェクト（以下「第１のオブジェクト」という。）に他のオブジェクト（以下「第２のオブジェクト」という。）を近付けた場合に、第１のオブジェクトに対して第２のオブジェクトの属性を付与するのではなく、第２のオブジェクトに対して第１のオブジェクトの属性を付与するようにしてもよい。すなわち、この場合ユーザは、別の属性を付与したいオブジェクトを移動させることになり、この点において上述した実施例と相違する。
【００５４】
なお、ここでいうピンチインは、一方の指を静止させたまま他方の指を近付ける操作に限定されず、双方の指を互いに近付ける操作であってもよい。この場合、通信端末１００は、双方のオブジェクトに対して重み付けを決定する処理を実行すればよい。あるいは、属性に関する重み付けを与える側と与えられる側のオブジェクトは、ユーザがオブジェクトにタッチする順番などによって決められてもよい。
【００５５】
また、オブジェクトの属性に関する重み付けは、２つのオブジェクトを近付ける操作ではなく、これらを遠ざける操作によって決定されてもよい。この重み付けは、２つのオブジェクトの距離が離れる（長くなる）ほど増加するようにしてもよいし、減少するようにしてもよい。すなわち、通信端末１００は、２つのオブジェクトの距離に応じて重み付けを決定すればよく、距離と重み付けとに対してどのような相関関係を設定するかはトクに限定されない。
【００５６】
（２）重み付けを決定するための操作は、２つのオブジェクトをピンチイン（又はピンチアウト）する操作に限定されない。例えば、２つのオブジェクトのうちの一方を拡大又は縮小させ、そのサイズを変更することができる場合、これらのオブジェクトのサイズ（すなわち大小関係）に基づいて重み付けを決定することが可能である。この場合、通信端末１００は、互いに関連付けられたオブジェクトのサイズを比較し、比較したサイズの大小に応じて重み付けを決定すればよい。
【００５７】
（３）オブジェクトの属性に関する重み付けは、ユーザの操作によらずに決められてもよい。例えば、通信端末１００は、２つのオブジェクトの表示時間（画面に表示されている時間）が異なる場合には、表示時間の相違に基づいて重み付けを決定してもよい。あるいは、通信端末１００は、２つのオブジェクトによる情報の更新日時又は更新頻度に基づき、例えば、情報がより頻繁に更新されるオブジェクトの属性の重み付けを増加させたりしてもよい。
【００５８】
また、通信端末１００は、上述したサブ領域が所定の操作によって表示される場合には、サブ領域の表示時間やサブ領域が表示された頻度に基づいて重み付けを決定することも可能である。
【００５９】
（４）オブジェクトを関連付ける操作は、上述したように２つのオブジェクトをタッチする操作に限定されない。例えば、ユーザは、オブジェクトを関連付ける操作として、２つあるオブジェクトの一方にタッチし、これを他方のオブジェクトに近付ける操作を行ってもよい。このような操作によれば、オブジェクトの関連付けと重み付けの決定を単一の操作によって実現することが可能である。
【００６０】
（５）通信端末１００は、ある属性を有する情報をオブジェクトを介して表示する場合において、当該情報の表示態様を当該属性の重み付けに応じて変更してもよい。ここでいう表示態様は、情報の外観、すなわち見た目であり、例えば、文字の色や太さ、情報の表示サイズや表示位置などである。通信端末１００は、例えば、第１の属性を有する情報と第２の属性を有する情報とが混在して一覧表示されている場合において、第１の属性の重み付けが増加したとき、第１の属性を有する情報を、より目立ちやすい位置に移動させたり、強調表示（太字にする、点滅表示させるなど）させたりしてもよい。
【００６１】
（６）本発明に係るオブジェクトは、上述したメイン領域とサブ領域の双方に情報を表示するものに限定されない。例えば、オブジェクトは、サブ領域を有しないものであってもよい。また、オブジェクトは、メイン領域はアイコンとして機能し、地域情報や気象情報のようなコンテンツは表示されないものであってもよい。この場合、コンテンツは、サブ領域に表示されればよい。
【００６２】
（７）本発明において関連付けられるオブジェクトの数は、２以上であればいくつであってもよい。通信端末１００は、３以上のオブジェクトが関連付けられている場合であっても、これらのオブジェクトの変位などに基づいて重み付けを決定することが可能である。
【００６３】
（８）オブジェクトを関連付ける操作は、タッチスクリーンに対する操作に限定されない。例えば、マウスによってオブジェクトの位置やサイズを変更する操作によっても、オブジェクトを関連付けることが可能である。また、音声入力や、いわゆるジェスチャー入力などによって通信端末１００に非接触で操作を行うことも可能である。
【００６４】
（９）本発明に係るコンテンツは、ネットワークを介して外部から取得されるものに限定されない。例えば、本発明に係るコンテンツは、いわゆるローカルファイル、すなわち自装置に記憶されているデータであってもよい。
【００６５】
（１０）上述したように、本発明の実施に必要な操作は、タッチスクリーンをタッチするものに限定されない。ゆえに、本発明に係る通信端末は、タッチスクリーンを有するものに限定されない。例えば、本発明は、ＨＭＤ（Head Mounted Display）などのウェアラブルコンピュータにも適用可能である。
【００６６】
また、本発明に係る通信端末は、ノート型（ラップトップ型）又はデスクトップ型のパーソナルコンピュータ、携帯型のゲーム機又はミュージックプレーヤ、電子書籍のリーダなどであってもよい。さらに、本発明に係る通信端末は、携帯されるものにも限定されない。
【００６７】
（１１）本発明は、通信端末としてではなく、当該通信端末における情報の表示を制御するための情報処理装置、情報の表示方法、コンピュータ（ＣＰＵ等）を当該情報処理装置として機能させるためのプログラムなどの形態で提供されてもよい。また、本発明に係るプログラムは、光ディスクなどの記録媒体に記録した形態や、インターネットなどのネットワークを介して通信端末にダウンロードされ、これをインストールすることで利用可能になる形態などでも提供可能である。
【符号の説明】
【００６８】
１０…通信システム、１００…通信端末、１１０…制御部、１１１…特定部、１１２…決定部、１１３…出力制御部、１２０…記憶部、１３０…通信部、１４０…タッチスクリーン部、１４１…表示部、１４２…センサ部、１５０…入力部、２００…コンテンツサーバ、３００…ネットワーク
【図１】
2015210587.tif 000003
【図２】
2015210587.tif 000004
【図３】
2015210587.tif 000005
【図４】
2015210587.tif 000006
【図５】
2015210587.tif 000007
【図６】
2015210587.tif 000008
【図７】
2015210587.tif 000009
【図８】
2015210587.tif 000010